(57)【特許請求の範囲】
【請求項１】
本体ケース内にワイヤを巻き付けたリールと、一端をリールに係合させ、他端を支軸に固定したゼンマイとを有する駆動部と、ダンパー機構を有する制動部とを設け、上記ワイヤの端部と本体ケースの一方を引戸に、他方を引戸枠に取り付け、引戸開放時には上記リールからワイヤが繰り出されるとともにゼンマイが巻き締められ、開放された引戸はゼンマイの復元力によって制動部のダンパー機構の抵抗に抗してワイヤを駆動部のリールに巻き戻すことによって上記引戸を閉止させる引戸用クローザにおいて、上記駆動部の支軸の軸方向に環状ロータからなるダンパー機構で構成された制動部を重ねて配置し、上記リールの一側面に突出形成した環状歯車の外周側又は内周側に上記環状ロータを配置するとともに、この環状ロータには、上記環状歯車に係脱可能な浮動歯車を備えたワンウェイ機構を設け、上記駆動部と上記制動部とを上記ワンウェイ機構を介して作動連結させたことを特徴とする引戸用クローザ。
【請求項２】
上記制動部をロータリーダンパーで構成したことを特徴とする、請求項１記載の引戸用クローザ。
【発明の詳細な説明】
【技術分野】
【０００１】
本発明は、引戸を自動的に閉止させることができる引戸用クローザに関する。
【背景技術】
【０００２】
一般に、この種のクローザには、ワイヤを巻き付けたリールと、リールを回転させるゼンマイとを内蔵する駆動部と、ダンパー機構を有する制動部とが設けられ、これら駆動部と制動部とを本体ケースに並列に配置していた。制動部にはダンパー機構に一体にプーリを設け、上記駆動部のリールから繰り出されたワイヤを上記プーリに適数回巻き回してから本体ケースの外に導出されるように構成されている。そして、上記ワイヤの端部を引戸枠に固定し、上記本体ケースを引戸の上部に固定し、引戸を開放するときは手動で行なうが、このとき上記リールからワイヤが繰り出されるとともにゼンマイが巻き締められ、開放された引戸はゼンマイの復元力によって制動部のダンパー機構の抵抗に抗してワイヤを駆動部のリールに巻き戻すことによって開放された引戸を自動的に閉止させることができる。
【特許文献１】実用新案登録第３１０１７４３号公報
【特許文献２】特開２００５−１１３６６３公報
【発明の開示】
【発明が解決しようとする課題】
【０００３】
しかしながら、上記構成の引戸用クローザによれば、駆動部と制動部とが並列状に配置されているから、本体ケースが大きくならざるを得ず、引戸の外観が損なわれていた。また、プーリにワイヤを適数回巻き回す構成であるから、開放時および閉止時にワイヤが導出され、導入されるときにプーリとワイヤとの間に擦れが生じるので、作動時に異音が発生することがあり、またワイヤの摩耗が早い。
【０００４】
本発明は上記問題点を解消し、コンパクトで引戸の外観を損ねることがなく、しかも異音の発生のない静かな引戸用クローザを提供することをその課題とする。
【課題を解決するための手段】
【０００５】
上記課題を解決するため、本発明に係る引戸用クローザは、本体ケース内にワイヤを巻き付けたリールと、一端をリールに係合させ、他端を支軸に固定したゼンマイとを有する駆動部と、ダンパー機構を有する制動部とを設け、上記ワイヤの端部を引戸枠に固定し、上記本体ケースを引戸の上部に固定し、引戸開放時には上記リールからワイヤが繰り出されるとともにゼンマイが巻き締められ、開放された引戸はゼンマイの復元力によって制動部のダンパー機構の抵抗に抗してワイヤを駆動部のリールに巻き戻すことによって上記引戸を閉止させる引戸用クローザにおいて、上記駆動部の支軸の軸方向に環状ロータからなるダンパー機構で構成された制動部を重ねて配置し、上記リールの一側面に突出形成した環状歯車の外周側又は内周側に上記環状ロータを配置するとともに、この環状ロータには、上記環状歯車に係脱可能な浮動歯車を備えたワンウェイ機構を設け、上記駆動部と上記制動部とを上記ワンウェイ機構を介して作動連結させたことを特徴とする上記駆動部の支軸の軸方向に制動部を重ねて配置し、上記駆動部と制動部とをワンウェイ機構を介して作動連結させたことを特徴とする。
【０００６】
なお、制動部はロータリーダンパーで構成すればよい。
【発明の効果】
【０００７】
本発明によれば、引戸用クローザは駆動部の支軸の軸方向に制動部を重ねて配置した構造であり、上記駆動部と制動部とを小型化が可能なワンウェイ機構を介して作動連結する構成であるから、従来のような駆動部と制動部とを並列配置する構成に比べてはるかにコンパクトにすることができる。したがって、引戸の外観が損なわれることがない。なお、従来のクローザも制動部にはプーリを重ねて配置するものであり、薄くはなかった。したがって、駆動部と制動部とを並列配置した構成ではあっても、その厚さは従来のものとほとんど同じ程度に抑えることができる。
【０００８】
また、ワイヤリールから直接に繰り出されるため、従来のクローザのような擦れが生じることがなく、耐久性が向上するほか、作動時に異音が発生することもないので、開放操作時に不快感を与えることがない。
【発明を実施するための最良の形態】
【０００９】
以下、本発明の実施形態を図に基づいて説明する。
【００１０】
図１（ａ）（ｂ）は引戸用クローザの使用態様を示すもので、クローザ１の本体ケース２を引戸３の上部に固定し、本体ケース２から導出されたワイヤ５の端部（のフック）を引戸枠４に取り付ける。この状態で同図（ａ）のように引戸３を開放操作すると、ワイヤ５が本体ケース２から繰り出され、引戸３を開放後、力を抜くと、ワイヤ５が本体ケース２内に引き戻され、同図（ｂ）のように引戸３が自動的に閉止する。
【００１１】
ところで、図２および図３に示されるように、上記クローザ１の本体ケース２の中央には支軸６が配置され、この支軸６には上記ワイヤ５の駆動部ａと制動部ｂとが軸方向に重ねて配設されている。駆動部ａには、上記ワイヤ５を巻きつけたリール７とゼンマイ８とが設けられている。リール７は上記支軸６に回転自在に支持され、その制動部ｂ側の側面には環状歯車１０が形成されている。ワイヤ５はワイヤ巻取り部７ａに巻き取られ、その一端５ａはワイヤ巻取り部７ａの溝１１に係止している。また、ゼンマイ８の一端８ａはリール７に係合され、他端は支軸６の係合溝１２に係合している。ゼンマイ８は、ワイヤ巻取り部７ａの内周側に配置されている。
【００１２】
これに対し、制動部ｂにはダンパー機構が設けられている。上記ダンパー機構は図４に示される環状ロータ１３によって構成されている。環状ロータ１３は図２のように本体ケース２の環状凹部１４内に上記支軸６を中心として回転自在に収納されている。環状ロータ１３と環状凹部１４との間には、環状ロータ１３の回転抵抗となるシリコンオイルなどの粘性流体が充填されている。１５はシール部を示す。また、環状ロータ１３の駆動部ａ側の側面には環状凸部１６が形成され、この環状凸部１６の内周側に上記駆動部ａのリール７の環状歯車１０が配置されるように構成されている。
【００１３】
次に、上記駆動部ａと制動部ｂとはワンウェイ機構を介して作動連結されている。すなわち、図４に示されるように、上記環状ロータ１３の環状凸部１６の内周の一部には２個の浮動歯車用収容部１８が形成されている。各収容部１８には図５（ａ）に示されるように、各１個の浮動歯車１７が収容されている。各収容部１８の高さは浮動歯車１７の直径よりもやや小さく、その幅は浮動歯車１７の大きさよりも大きく形成されている。また、収容部１８の一側は円弧状に形成され、他側の中間部には突起２０が形成されている。そして、浮動歯車１７は上記収容部１８内を周方向に移動可能となっているとともに、常時リール７の環状歯車１０に噛合している。
【００１４】
上記ワンウェイ機構によれば、図５（ａ）のようにリール７がＡ方向に回転するときは、その環状歯車１０に噛合している浮動歯車１７は収容部１８の一側に移動させられて空転する。これに対し、同図（ｂ）のようにリール７がＢ方向に回転するときは、浮動歯車１７は収容部１８の他側に移動させられ、突起２０に係合するので回転できない。
【００１５】
なお、浮動歯車１７は一方の収容部１８にのみ収容される構成でもよく、また収容部１８を３個形成し、それぞれに浮動歯車を収容する構成であってもよい。
【００１６】
次に、上記引戸用クローザ１の作動態様について説明する。まず、図１（ａ）のように引戸３が開放方向に移動して本体ケース２からワイヤ５が繰り出されるときは、リール７がＡ方向に回転し、ゼンマイ８が巻き締められる。このとき、浮動歯車１７は空転するから、環状ロータ１３も回転しない。
【００１７】
これに対し、図１（ｂ）のように、引戸３を開放後、力を抜くとゼンマイ８がその復元力により巻き戻されるから、リール７がＢ方向に回転する。このとき、浮動歯車１７は反対側に移動させられて収容部１８の突起２０に係合し、回転できない。このため、リール７と環状ロータ１３とは一体となって回転する。環状ロータ１３は制動された状態で回転するので、リール７の回転も抑制され、ゆっくりと回転する。したがって、引戸３は急激に戻ることがなく、低速で戻り、引戸３は引戸枠４に静かに当って閉止する。
【００１８】
なお、ダンパー機構は環状歯車１０の内周側に配置してもよい。この場合、環状の歯車は内周側に形成する。
【００１９】
なお、上記制動部ｂをロータリーダンパーによって構成してもよい。
【００２０】
すなわち、図６に示されるように、制動部ｂにはロータリーダンパー用収容部２１が形成され、この収容部２１には小型、薄型のロータリーダンパー２２が１個配置されている。ロータリーダンパー２２は、図７（ａ）に示されるように、本体２３の外周に大径歯車２４を形成し、また本体２３と同軸上に小径歯車２５を設けたものである。小径歯車２５は本体２３に対して制動されて回転可能に構成されている。
【００２１】
次に、上記駆動部ａと制動部ｂとはワンウェイ機構を介して作動連結されている。すなわち、図７（ａ）に示されるように、上記収容部２１の高さはロータリーダンパー２２の直径よりも小さく、小径歯車２５が常時リール７の環状歯車１０に噛合するように形成されている。また、収容部２１の幅はロータリーダンパー２２よりもやや大きく形成され、その一側の中間部には突起２０が形成されている。
【００２２】
上記ワンウェイ機構によれば、リール７がＡ方向に回転するときは、その環状歯車１０に噛合しているロータリーダンパー２２は収容部２１の一側に移動させられて空転する。これに対し、同図（ｂ）のようにリール７がＢ方向に回転するときは、ロータリーダンパー２２は収容部２１の他側に移動させられ、大径歯車２４は突起２０に係合するので回転できない。
【００２３】
したがって、図１（ａ）のように引戸３が開放方向に移動して本体ケース２からワイヤ５が繰り出されるときは、リール７がＡ方向に回転し、ゼンマイ８が巻き締められる。このとき、ロータリーダンパー２２は空転する。
【００２４】
これに対し、同図（ｂ）のように、引戸３を開放後、力を抜くとゼンマイ８がその復元力により巻き上げられるから、リール７がＢ方向に回転する。このとき、ロータリーダンパー２２は反対側に移動させられ、大径歯車２４は収容部２１の突起２０に係合し、回転できない。小径歯車２５が制動状態で回転するので、リール７の回転も抑制され、ゆっくりと回転する。したがって、引戸３は低速で戻り、引戸３は引戸枠４に静かに当って閉止する。
【００２５】
なお、ロータリーダンパーは１個に限らず、複数個配置してもよい。
【００２６】
また、リール７の環状歯車を外周側に形成し、ロータリーダンパーをその外周側に配置する構成であってもよい。
【００２７】
さらに、ロータリーダンパーはワンウェイクラッチ機構を内蔵したタイプのものであってもよい。この場合は、ロータリーダンパーの本体を本体ケースに固定し、その出力軸に形成した歯車をリールの環状歯車に噛合させればよい。
【００２８】
上述のように、引戸用クローザ１は駆動部ａの支軸６の軸方向に制動部ｂを重ねて配置した構造であり、上記駆動部ａと制動部ｂとを小型化が可能なワンウェイ機構を介して作動連結する構成であるから、従来のような駆動部ａと制動部ｂとを並列配置する構成に比べてはるかにコンパクトにすることができる。したがって、引戸３の外観が損なわれることがない。なお、従来のクローザ１も制動部ｂにはプーリを重ねて配置するものであり、薄くはなかった。したがって、駆動部ａと制動部ｂとを並列配置した構成ではあっても、その厚さは従来のものとほとんど同じ程度に抑えることができる。
【００２９】
また、ワイヤリール７から直接に繰り出されるため、従来のクローザ１のような擦れが生じることがなく、耐久性が向上するほか、作動時に異音が発生することもないので、開放操作時に不快感を与えることがない。
【００３０】
なお、クローザを引戸又は引戸枠に取り付けるにあたっては、上述の実施形態のように、クローザの本体ケースを引戸に固定し、ワイヤの端部を引戸枠に固定する例に限定されない。例えば、本体ケースを引戸枠に固定し、ワイヤの先端（フック）を引戸に固定取り付ける構成でもよく、あるいは本体ケースを引戸に内蔵させ、ワイヤの端部を引戸枠に取り付ける構成であってもよい。
【図面の簡単な説明】
【００３１】
【図１】（ａ）（ｂ）は本発明に係る引き戸用クローザの使用態様説明図である。
【図２】上記クローザの縦断面図である。
【図３】図２のＸ−Ｘ線上の断面図である。
【図４】環状ロータの斜視図である。
【図５】（ａ）（ｂ）はワンウェイ機構とその作動図である。
【図６】他の制動部を使用したクローザの縦断面図である。
【図７】（ａ）（ｂ）はワンウェイ機構とその作動図である。
【符号の説明】
【００３２】
ａ    駆動部
ｂ    制動部
２    本体ケース
５    ワイヤ
６    支軸
７    リール
８    ゼンマイ
１３  環状ロータ
１７  浮動歯車
２２  ロータリーダンパー
【図１】
0004691413.tif 000002
【図２】
0004691413.tif 000003
【図３】
0004691413.tif 000004
【図４】
0004691413.tif 000005
【図５】
0004691413.tif 000006
【図６】
0004691413.tif 000007
【図７】
0004691413.tif 000008